(57)【要約】【課題】封入する描画シートに品質変化を生じさせることなく容易に製造でき、しかも美感の優れた置物およびその置物の製造方法を提供する。【解決手段】文字５１が書かれた和紙５が透明な平板状の表板２と裏板３との間に挟まれた状態で、紫外光６が照射されて透明な紫外線硬化型接着剤が塗布されて形成された接着層４が硬化することで、和紙５が表板２と裏板３との間に封入される。したがって、紫外光６を照射するのみで和紙５を表板２と裏板３との間に封入できるため置物１の製造が容易であり、さらに加熱等による品質変化を生じさせることなく透明な２枚の表板２および裏板３に和紙５を封入することができ、幻想的で非常に美感の優れた置物１を容易に提供することができる。【選択図】  図１
2007276378.tif 000002
【特許請求の範囲】
【請求項１】
透明な平板状の表板と、
前記表板の裏面側に載置される文字や図、絵等が描画された描画シートと、
前記描画シートが載置される前記表板の裏面に透明な光硬化型接着剤が塗布されて形成された接着層と、
前記光硬化型接着剤を塗布した前記表板の裏面側に貼り合わされた前記表板よりも薄い平板状の裏板と
を備え、
前記表板および前記裏板に光が照射されて前記接着層を硬化させ前記描画シートを前記表板および前記裏板間に封入して成ることを特徴とする置物。
【請求項２】
前記描画シートが、封入状態において半透明になる和紙、洋紙、唐紙などの紙である請求項１に記載の置物。
【請求項３】
前記描画シートが、封入状態において半透明になる布である請求項１に記載の置物。
【請求項４】
前記表板および前記裏板が透明な水晶である請求項１ないし３のいずれかに記載の置物。
【請求項５】
前記表板および前記裏板が透明合成樹脂である請求項１ないし３のいずれかに記載の置物。
【請求項６】
一方面が鏡面で他方面に粘着層を有する鏡面シートをさらに備え、
前記粘着層が前記裏板に貼り付けられている請求項１ないし５のいずれかに記載の置物。
【請求項７】
前記表板が水晶であり、
前記裏板が、前記表板の裏面に該裏面側から鏡面が見えるように貼り合わされる鏡である請求項１ないし３のいずれかに記載の置物。
【請求項８】
前記光硬化型接着剤が紫外線硬化型接着剤である請求項１ないし７のいずれかに記載の置物。
【請求項９】
透明な平板状の表板の裏面に透明な光硬化型接着剤を塗布し、
前記表板の裏面側に文字や図、絵等が描画された描画シートを載置して、
前記表板の裏面および前記描画シートの全面にわたって前記光硬化型接着剤の層を形成する工程と、
前記光硬化型接着剤の層が形成された前記表板の裏面側に、前記表板よりも薄い平板状の裏板を貼り合わせる工程と、
前記表板および前記裏板に光を照射して前記光硬化型接着剤を硬化させ前記描画シートを前記表板および前記裏板間に封入する工程と
を備えることを特徴とする置物の製造方法。
【請求項１０】
前記光硬化型接着剤を硬化させる工程の前に、前記裏板側から前面にわたって均一に加圧して前記光硬化型接着剤から脱気する工程をさらに備える請求項９に記載の置物の製造方法。
【発明の詳細な説明】
【技術分野】
【０００１】
本発明は、例えば毛筆で文字が書かれた和紙等の描画シートを、その品質を変化させることなく透明部材間に封入した美感性の高い置物およびその製造方法に関する。
【背景技術】
【０００２】
従来、合成樹脂や合わせガラスに描画シート等の装飾品を封入することで、装飾品の劣化を防止した置物や装飾スタンドが知られている。
【０００３】
例えば、特許文献１には、肖像写真がエッチングによって表されたステンレス板を合成樹脂に封入されている置物が記載されている。
【０００４】
また、特許文献２には、押し花が２枚の透明ガラス板に挟み込まれた装飾スタンドが記載されている。
【０００５】
【特許文献１】特開平８−７２４９７号公報
【特許文献２】特開２００１−１８５９８号公報
【発明の開示】
【発明が解決しようとする課題】
【０００６】
ところで、特許文献１に記載の置物は、基台型に約１／２の高さまでアクリル樹脂を流し込み、一旦固化させた後、肖像写真がエッチングによって表されたステンレス板を固化したアクリル樹脂の上に載置し、さらに型枠の上端までアクリル樹脂を流し込んだ後、流し込んだアクリル樹脂を固化させて製造される。そのため、アクリル樹脂が固化するのを待つ必要があり、製造するのに時間がかかるという問題があった。
【０００７】
また、特許文献２に記載の装飾スタンドは、合わせガラスの中間膜に押し花が挟み込まれた状態で、７６０ｍｍＨｇの真空度で１００℃程度まで昇温し、この温度で１５分間保持したのち徐々に冷却することで製造される。そのため、製造に時間がかかるのとともに押し花を一旦高温にしなければならないため、押し花に品質変化が生じるおそれがあった。
【０００８】
この発明は、上記課題に鑑みてなされたものであり、封入する描画シートに品質変化を生じさせることなく容易に製造でき、しかも美感の優れた置物およびその置物の製造方法を提供することを目的とする。
【課題を解決するための手段】
【０００９】
上記した課題を解決するため、本発明かかる置物は、透明な平板状の表板と、前記表板の裏面側に載置される文字や図、絵等が描画された描画シートと、前記描画シートが載置される前記表板の裏面に透明な光硬化型接着剤が塗布されて形成された接着層と、前記光硬化型接着剤を塗布した前記表板の裏面側に貼り合わされた前記表板よりも薄い平板状の裏板とを備え、前記表板および前記裏板に光が照射されて前記接着層を硬化させ前記描画シートを前記表板および前記裏板間に封入して成ることを特徴としている（請求項１）。
【００１０】
また、前記描画シートが、封入状態において半透明になる和紙、洋紙、唐紙などの紙である構成でもよい（請求項２）。
【００１１】
また、前記描画シートが、封入状態において半透明になる布である構成でもよい（請求項３）。
【００１２】
また、前記表板および前記裏板が透明な水晶である構成が好ましい（請求項４）。
【００１３】
また、前記表板および前記裏板が透明合成樹脂である構成でもよい（請求項５）。
【００１４】
また、一方面が鏡面で他方面に粘着層を有する鏡面シートをさらに備え、前記粘着層が前記裏板に貼り付けられている構成でもよい（請求項６）。
【００１５】
また、前記表板が水晶であり、前記裏板が、前記表板の裏面に該裏面側から鏡面が見えるように貼り合わされる鏡である構成でもよい（請求項７）。
【００１６】
また、前記光硬化型接着剤が紫外線硬化型接着剤であるのが望ましい（請求項８）。
【００１７】
また、上記した課題を解決するため、本発明にかかる置物の製造方法は、透明な平板状の表板の裏面に透明な光硬化型接着剤を塗布し、前記表板の裏面側に文字や図、絵等が描画された描画シートを載置して、前記表板の裏面および前記描画シートの全面にわたって前記光硬化型接着剤の層を形成する工程と、前記光硬化型接着剤の層が形成された前記表板の裏面側に、前記表板よりも薄い平板状の裏板を貼り合わせる工程と、前記表板および前記裏板に光を照射して前記光硬化型接着剤を硬化させ前記描画シートを前記表板および前記裏板間に封入する工程とを備えることを特徴としている（請求項９）。
【００１８】
また、前記光硬化型接着剤を硬化させる工程の前に、前記裏板側から前面にわたって均一に加圧して前記光硬化型接着剤から脱気する工程をさらに備える構成でもよい（請求項１０）。
【発明の効果】
【００１９】
以上のように、請求項１に記載の発明によれば、文字や図、絵等が描画された描画シートが透明な平板状の表板と裏板との間に挟まれた状態で、光が照射されて透明な光硬化型接着剤が塗布されて形成された接着層が硬化することで描画シートが表板と裏板との間に封入される。したがって、光を照射するのみで描画シートを表板と裏板との間に封入できるため製造が容易であり、さらに加熱等による品質変化を生じさせることなく透明な表板および裏板間に描画シートを封入することができ、美感の優れた置物を容易に提供することができる。
【００２０】
また、請求項２に記載の発明によれば、描画シートが、封入状態において半透明になる和紙、洋紙、唐紙などの紙であることから、紙の繊維が模様を成すため、美感が向上する。また、透明な表板を通して和紙、洋紙、唐紙などの紙が透けて見え、非常に美感の優れた置物を提供することができる。また、描画シートが紙であるため、容易に毛筆で文字を書いたり印刷したりでき非常に汎用性が高く、多様性に富んだデザインの描画シートを作成することができるので、よりいっそう美感の優れた置物を提供することができる。また、紙ゆえ扱い易く、多用な文字や図形を一品ごとに変えたり、同種の文字等の置物を提供する場合のいずれにも容易に対応できる。特に、和紙の場合、周縁を鋭利に切断せず、手で破断したようにすれば、封入状態において予期しない美感を与えることとなる。
【００２１】
また、請求項３に記載の発明によれば、描画シートが布であるため、容易に毛筆で文字を書いたり印刷したりできるとともに、刺繍を施すこともでき非常に汎用性が高く、多様性に富んだデザインの描画シートを作成することができるので、より美感の優れた置物を提供することができる。
【００２２】
また、請求項４に記載の発明によれば、表板および裏板が水晶であるため、硬度が高く、傷がつきにくいとともに、非常に透明性が高いのでより美感の優れた置物を提供することができる。
【００２３】
また、請求項５に記載の発明によれば、表板および裏板が透明合成樹脂であるため、表板および裏板を任意の形状に整形したり、合成樹脂に任意の着色を施すことでより多様性に富んだ置物を提供することができ、美感の向上を図ることができる。
【００２４】
また、請求項６に記載の発明によれば、一方面が鏡面である鏡面シートが裏板側の外面に貼り付けられている。したがって、置物の外側に鏡面を向けて鏡面シートを貼り付けることで、置物を裏返して鏡として利用することができる。
【００２５】
また、請求項７に記載の発明によれば、表板である水晶の裏面側に裏板である鏡の裏面側が貼り合わされることで、描画シートが水晶と鏡との間に封入される。したがって、置物を裏返して鏡として利用することができる。
【００２６】
また、請求項８に記載の発明によれば、透明な光硬化型接着剤が紫外線硬化型接着剤であるため、通常の白色蛍光灯などの人工照明下では硬化しにくく、明るい場所での製造作業が可能となる。また、透明性に優れており、長時間の紫外線照射や高温加熱による変色がなく、高温や高湿度に対する耐久性に優れた置物を提供することができる。
【００２７】
また、請求項９に記載の発明によれば、光を照射するのみで描画シートを透明な表板と裏板との間に容易に、しかも、加熱等による品質変化を生じさせることなく封入することができるので美感の優れた置物を提供することができる。
【００２８】
また、請求項１０に記載の発明によれば、光硬化型接着剤を硬化させる前に、裏板側から前面にわたって均一に加圧して光硬化型接着剤から脱気するので、光硬化型接着剤中に美感を損ねる気泡が含まれるのを防止できるので、より美感の優れた置物を提供することができる。
【発明を実施するための最良の形態】
【００２９】
この発明の一実施形態について図１および図２を参照して説明する。図１は本発明の置物の外観図を示し、（ａ）は描画シートを封入する前の分解斜視図、（ｂ）は描画シートを封入した後の置物の正面図である。また、図２は本発明の置物の製造方法の一例を示す図である。
【００３０】
本発明の置物１は、図１（ａ）に示すように、透明な人工水晶からなる平板状の表板２と、表板２よりも薄い裏板３との間に、透明な紫外線硬化型接着剤からなる接着層４により、例えば毛筆で文字５１が書かれた半透明になる和紙５が封入されて成る。
【００３１】
上記した接着層４は、和紙５が載置される表板２の裏面に紫外線硬化型接着剤が塗布されて形成される。また、この実施形態では、本発明の「描画シート」として和紙５が表板２と裏板３との間に、接着層４を介して挟まれている。そして、この状態で表板２および裏板３に紫外光が照射されて接着層４を硬化させることで、和紙５が表板２および裏板３間に封入される。
【００３２】
また、和紙５の特性として繊維の大きさや方向が一定せずまばらであるため封入状態で半透明となるため、図１（ｂ）に示すように、置物１を正面から見た場合に、和紙５の周縁５２がぼやけて見え、特に和紙５を手で破断するとそのぼやけ効果に加えて周縁５２が不規則な模様を成し、文字５１以外の部分がぼんやりと透けて見える。したがって、まるで、置物１の中に和紙５の繊維が模様のように見え、和紙５に書かれた有色の文字５１のみが封入されているように見えるとともに、和紙５の持つ繊維状の模様がぼんやりとして幻想的な見栄えを醸し出すため、非常に優れた美感を与える。
【００３３】
続いて、図２を参照して本発明の置物１の製造方法について説明する。図２（ａ）に示すように、透明な平板状の表板２の裏面２１に透明な紫外線硬化型接着剤を塗布して接着層４を形成する。そして、（ｂ）に示すように、その接着層４の上に文字５１が書かれた和紙５を載置する。この際、プラスチック製のへら等の押さえ部材によって和紙５を均一に加圧することで和紙５のが載置されている部分の接着層４から脱気して、和紙５が載置されている部分の接着層４に気泡が含まれるのを防止するのが望ましい。
【００３４】
次に、図２（ｃ）に示すように、載置された和紙５の上から紫外線硬化型接着剤を再塗布した後、（ｄ）に示すように、接着層４に表板３よりも薄い透明な平板状の裏板３を貼り合わせる。そして、裏板３側から前面にわたって均一に加圧して接着層４から脱気する。最後に、（ｅ）に示すように、表板２および裏板３に紫外光６を照射して、接着層４を硬化させ和紙５を表板２および裏板３との間に封入して置物１は完成する。
【００３５】
最後に、図３を参照して本発明の置物の完成品の一例について説明する。図３は本発明の置物の完成品の一例を示す図である。図３において１０は人工水晶等からなる台座であり、同じく紫外線硬化型接着剤等により置物１の下に接着されている。このような構成とすれば、置物１を様々な場所に安定して配置することができるとともに、透明で美感の優れた台座１０との相乗効果により、置物１の美感のよりいっそうの向上を図ることができる。
【００３６】
以上のように、上記した実施形態では、文字５１が書かれた和紙５が透明な平板状の表板２と裏板３との間に挟まれた状態で、紫外光６が照射されて透明な紫外線硬化型接着剤が塗布されて形成された接着層４が硬化することで、和紙５が表板２と裏板３との間に封入される。したがって、紫外光６を照射するのみで和紙５を表板２と裏板３との間に封入できるため置物１の製造が容易であり、さらに加熱等による品質変化を生じさせることなく透明な２枚の表板２および裏板３に和紙５を封入することができ、幻想的で非常に美感の優れた置物１を容易に提供することができる。
【００３７】
また、上記した実施形態では、表板２および裏板３は水晶で構成されているため、硬度が高く、傷がつきにくいとともに、非常に透明性が高いのでより美感の優れた置物１を提供することができる。
【００３８】
また、上記した実施形態では、封入状態において半透明になる和紙５を表板２と裏板３との間に封入しているので、和紙５の繊維が模様を成すため美感が向上する。また、透明な表板２および裏板３を通して和紙５が透けて見え、非常に美感の優れた高い置物１を提供することができる。
【００３９】
また、和紙５には、容易に毛筆で文字を書いたり印刷したりできて非常に汎用性が高く、多様性に富んだデザインの和紙５を作成することができるので、より美感の優れた置物１を提供することができる。また、和紙５ゆえ扱い易く、多用な文字や図形を一品ごとに変えたり、同種の文字等の置物１を提供する場合のいずれにも容易に対応できる。特に、上記実施形態のように、和紙５の周縁を鋭利に切断せず、手で破断したようにすれば、封入状態において予期しない美感を与えることとなる。
【００４０】
また、上記した実施形態では、紫外光６を照射して接着層４を硬化させる前に、裏板３側から前面にわたって均一に加圧して接着層４から脱気するので、接着層４中に美感を損ねる気泡が含まれるのを防止でき、より美感の優れた置物１を提供することができる。
【００４１】
また、上記した実施形態では、透明な光硬化型接着剤が紫外線硬化型接着剤であるため、通常の白色蛍光灯などの人工照明下では硬化しにくく、明るい場所で置物１を製造することができる。また、透明性に優れており、長時間の紫外線照射や高温加熱による変色がなく、高温や高湿度に対する耐久性に優れた置物１を提供することができる。
【００４２】
なお、本発明の他の実施形態として、一方面が鏡面で他方面が粘着層である鏡面シートの粘着層を裏板３に貼り付けてもよい。このような構成とすれば、置物１の外側に鏡面を向けて鏡面シートを貼り付けることで、置物１を裏返して鏡として置物１を利用することができる。
【００４３】
なお、本発明は上記実施形態に限定されるものではなく、その趣旨を逸脱しない限りにおいて上述したものに対して種々の変更を加えることが可能である。例えば、置物１に封入させる描画シートとしては、上記した和紙５以外に、封入状態において半透明になる洋紙、唐紙、あるいは布等、表板２と裏板３との間に挟み込むことができる厚さのものであればどのようなものであってもよい。また、これらの描画シートには、毛筆による文字のみでなく、図、絵等、様々なデザインを施してもよい。
【００４４】
また、上記した実施形態では、光硬化型接着剤として紫外線硬化型接着剤を用いて接着層４を形成したが、光硬化型接着剤としては透明なものであれば紫外線硬化型接着剤に限られず、周知である種々の光硬化型接着剤を用いてもよい。また、紫外線硬化型接着剤としても透明なものであれば周知である種々の接着剤を用いることができる。
【００４５】
また、上記した実施形態では、表板２および裏板３として水晶を採用したが、アクリル等の透明な合成樹脂、またはガラスであってもよい。すなわち、周知の透明な光硬化型接着剤で貼り合わせることができる透明な材質であって、平板状に形成できるものであればどのようなものを採用してもよい。また、表板および裏板を透明合成樹脂とすることで、表板および裏板を任意の形状に整形したり、合成樹脂に任意の着色を施すことでより多様性に富んだ置物を提供することができ、置物の美感の向上を図ることができる。
【００４６】
また、上記した実施形態では、表板２および裏板３として透明な水晶を採用したが、裏板のみ、周知の透明な光硬化型接着剤で表板に貼り合わせることができる材質で平板状に形成できる有色の部材を採用してもよい。また、周知の透明な光硬化型接着剤で貼り合わせることができれば、表板と裏板の材質を異なるものとしてももちろんよい。
【００４７】
例えば、表板が水晶であり、裏板が、水晶の裏面に該裏面側から鏡面が見えるように貼り合わされる鏡であってもよい。このような構成とすれば、表板である水晶の裏面側に裏板である鏡の裏面側が貼り合わされることで、描画シートが水晶と鏡との間に封入される。したがって、置物を裏返して鏡として利用することができる。
【００４８】
また、上記した実施形態では、図２（ａ）に示す紫外線硬化型接着剤を塗布して接着層４を形成する工程で表板２の裏面２１の全面に紫外線硬化型接着剤を塗布しているが、裏面２１のうち和紙５が載置される部分のうちの一部分にのみ紫外線硬化型接着剤を塗布してもよい。この場合、プラスチック製のへら等の押さえ部材で和紙５の全面を加圧しつつ和紙５の下の紫外線硬化型接着剤を引き伸ばしつつ脱気するのが望ましい。
【００４９】
また、図２（ｃ）に示す紫外線硬化型接着剤を再塗布する工程の前に、上記したへら等で和紙５を押さえつつ紫外光を照射して、接着層４を半硬化させてもよい。このような構成とすれば、最初に塗布して形成した接着層４と和紙５とが仮接着状態となるため、紫外線硬化型接着層を再塗布する際に和紙５の下側に気泡を含んだり、和紙５が所定の位置からずれるのを防止できる。
【００５０】
また、上記した実施形態では、透明な紫外線硬化型接着剤を塗布して接着層４を形成する工程の後に、描画シートを載置する工程を実行したが、描画シートを載置する工程の後に接着層４を形成する工程を実行してもよい。なお、この場合、描画シートを、例えば透明な接着剤で表板の裏面側に貼り付けるのが望ましい。このような構成とすれば、描画シートと表板との間に気泡が含まれるのを防止することができる。
【００５１】
また、上記した実施形態では、置物１は四角形状であるが、描画シートを封入後、側面を研磨することで光沢を出してより美感の向上を図ることができる。また、置物１の上部の形状を丸めたりして、任意の形状に整形してももちろんよい。
【００５２】
また、上記した実施形態において、描画シートは紙や布以外に、写真画像を描画した薄いプラスチックフィルムであってもよい。
【図面の簡単な説明】
【００５３】
【図１】本発明の置物の外観図である。
【図２】本発明の置物の製造方法の一例を示す図である。
【図３】本発明の置物の完成品の一例を示す図である。
【符号の説明】
【００５４】
１…置物
２…表板
３…裏板
４…接着層
５…和紙（描画シート）
５１…文字
【図１】
2007276378.tif 000003
【図２】
2007276378.tif 000004
【図３】
2007276378.tif 000005